(57)【要約】【課題】  座部を汎布などの布で形成する布座椅子として、簡単な構造と操作で、座の高さを任意に調整可能なものを提供する。【解決手段】  左側の脚枠１０の前後の垂直枠部１１に、下側から間隔をおいて、座布反転ガイドバー１５と、３対の掛止め溝１７付きのバー掛止めブラケット１６を取付け、他端部を右側の脚枠１３の上部水平枠部１４に固定するとともに一端部に掛止めバー２１を固定した長尺の座布２０を、左側の脚枠１０の上部水平枠部１２から座布反転ガイドバー１５を通して脚枠１０の外側から内側に誘導した後、掛止めバー２１を任意のバー掛止めブラケット１６の掛止め溝１７に掛止め、左右の上部水平枠部１２、１４間に、座布２０の長さに対応する高さの座を形成する。【選択図】      図１
2006304907.tif 000002
【特許請求の範囲】
【請求項１】
左右の一方の脚枠の前後一対の垂直枠部の下部に、前後に水平にのびる座布反転ガイドバーの各端部を取付けるとともに、該垂直枠部の座布反転ガイドバーと上部水平枠部の間に、前後一対のバー掛止めブラケットを、上下に間隔をおいて複数対取付け、かつ一端部に掛止めバーを固定した長尺の座布を、左右の他方の脚枠の上部水平枠部と選択したバー掛止めブラケット対部の間に、他端部の左右の他方の脚枠の上部水平枠部に対する固定と、左右の一方の脚枠の上部水平枠部及び座布反転ガイドバーを通した転向誘導と、バー掛止めバーの選択したバー掛止めブラケット対に対する掛止めを介して、緊張または弛緩状態で張設してなる布座椅子。
【請求項２】
左右の一方の脚枠の前後一対の垂直枠部の中間部に、前後に水平にのびる座布巻軸の前後の各端部を回転可能に支持し、座布巻軸の前後の少なくとも一端部と該一端部に対向する垂直枠部に、座布巻軸の回転を制止可能なピンロック手段を設け、かつ長尺の座布を、座布巻軸と左右の他方の脚枠の上部水平枠部の間に、各端部の座布巻軸と左右の他方の脚枠の上部水平枠部に対する固定と、左右の一方の脚枠の上部水平枠部を通した転向誘導を介して、緊張または弛緩状態で張設してなる布座椅子。
【発明の詳細な説明】
【技術分野】
【０００１】
この発明は、座部を汎布などの布で形成した布座椅子の改良に関する。
【背景技術】
【０００２】
周知のように、慣用の布座椅子では、座布の両端部を、左右の各脚枠を構成する前後一対の垂直枠部の上部間を前後にのびる各上部水平枠部に固定した構造になっている（例えば、特許文献１及び２参照）。
【０００３】
従って慣用の布座椅子は、構造が簡単ではあるものの、座の高さが固定されているため、快適な座位が得にくいという問題がある。
【特許文献１】特許第３０８７８５２号公報
【特許文献２】特公平６−１６７３０号公報
【発明の開示】
【発明が解決しようとする課題】
【０００４】
この発明は、慣用の布座椅子に認められる上記のような座の高さの固定による座位の問題に鑑み、布座椅子として、簡単な構造と操作で、座の高さを任意に調整可能なものを提供することを課題としている。
【課題を解決するための手段】
【０００５】
この発明によれば、上記の課題は、第一には、特許請求の範囲の請求項１に記載のごとく、左右の一方の脚枠の前後一対の垂直枠部の下部に、前後に水平にのびる座布反転ガイドバーの各端部を取付けるとともに、該垂直枠部の座布反転ガイドバーと上部水平枠部の間に、前後一対のバー掛止めブラケットを、上下に間隔をおいて複数対取付け、かつ一端部に掛止めバーを固定した長尺の座布を、左右の他方の脚枠の上部水平枠部と選択したバー掛止めブラケット対部の間に、他端部の左右の他方の脚枠の上部水平枠部に対する固定と、左右の一方の脚枠の上部水平枠部及び座布反転ガイドバーを通した転向誘導と、バー掛止めバーの選択したバー掛止めブラケット対に対する掛止めを介して、緊張または弛緩状態で張設してなる布座椅子によって解決する。
【０００６】
この請求項１に記載のこの発明に係る布座椅子においては、掛止めバーを掛止めるバー掛止めブラケット対を変えることにより、左右の両脚枠の上部水平枠部間をのびる座布の長さを変えて、座の高さを調節する。
【０００７】
またこの発明によれば、上記の課題は、第二には、特許請求の範囲の請求項２に記載のように、左右の一方の脚枠の前後一対の垂直枠部の中間部に、前後に水平にのびる座布巻軸の前後の各端部を回転可能に支持し、座布巻軸の前後の少なくとも一端部と該一端部に対向する垂直枠部に、座布巻軸の回転を制止可能なピンロック手段を設け、かつ長尺の座布を、座布巻軸と左右の他方の脚枠の上部水平枠部の間に、各端部の座布巻軸と左右の他方の脚枠の上部水平枠部に対する固定と、左右の一方の脚枠の上部水平枠部を通した転向誘導を介して、緊張または弛緩状態で張設してなる布座椅子によって解決する。
【０００８】
この請求項２に記載の布座椅子においては、ピンロック手段による座布巻軸の回転の制止を解除した状態において、座布巻軸の回転により、左右の両脚枠の上部水平枠部間をのびる座布の長さを変えることによって、座の高さを調節する。
【発明の効果】
【０００９】
請求項１に記載のこの発明に係る布座椅子によれば、座布に固定の掛止めバーを掛止めるバー掛止めブラケット対を変えるだけの操作で、座の高さを任意に調節することができ、使い勝手が良いとともに、構造も簡単なため、安価に提供することができる。
【００１０】
また請求項２に記載のこの発明の布座椅子によれば、ピンロック手段の巻軸の回転制止、回転制止解除操作及び座布巻軸の回転操作だけで、座の高さを調節することができ、使い勝手が良いとともに、構造が簡単なため、安価に提供することができる。
【発明を実施するための最良の形態】
【００１１】
以下図面に基づいて、この発明に係る布座椅子の好適な実施形態について説明する。
【００１２】
まず図１は、請求項１に記載の布座椅子の実施形態である第一の実施形態を略示したもので、左側の脚枠１０の前後の垂直枠部１１に、下部側から間隔をおいて、座布反転ガイドバー１５と、複数対（図面では３対）の偏心した掛止め溝１７付きの角形ブロック状のバー掛止めブラケット１６をねじ締結により取付け、他端部を右側の脚枠１３の上部水平枠部１４に固定するとともに一端部に掛止めバー２１を固定した長尺の座布２０を、左側の脚枠１０の上部水平枠部１２から座布反転バー１５を通して脚枠１０の外側から内側に誘導した後、掛止めバー２１を任意のバー掛止めブラケット１６の掛止め溝１７に挿着して掛止めた構造からなっており、左右の上部水平枠部１２、１４間に、座布２０の長さに対応する高さの座を形成するものである。
【００１３】
この形態では、左右の上部水平枠部１２、１４間の座の高さは、掛止めバー２１を掛止める前後一対のバー掛止めブラケット１６を変えることによって、複数段に調整することができる。
【００１４】
バー掛止めブラケット１６の偏心した掛止め溝１７は、図１に示すごとく、脚枠１０の垂直枠部１１に取り付けた際には、垂直枠部１１の横幅方向の内側部を前後にのびる形になるが、この掛止め溝１７の垂直枠部１１に対する位置は任意で、例えば図２に示すように平面的に鍵穴形（フランジ付きパイプ形）のバー掛止めブラケット１８を用いて、掛止め溝１９が垂直枠部１１の横幅方向の中央部を前後にのびる形にすることもできる。
【００１５】
次に図３は、請求項２に記載の布座椅子の実施形態である第二の実施形態を示したもので、左側の脚枠１０の前後の垂直枠部１１の上下方向の中間部に、座布巻軸２５の前後の各端部を支持し、座布巻軸２５の前端部に、座布巻軸２５と平行に前後進可能にのびるねじ式ロックピン２７付きのハンドル２６を固定するとともに、垂直枠部１１のロックピン２７対向部に、ロックピン２７とともにピンロック手段を構成するロックピン２７が挿脱可能なロックピン穴２８を形成し、他端部を右側の脚枠１３の上部水平枠部１４に固定した長尺の座布２０を、脚枠１０の上部水平枠部１２上を通して、座布巻軸２５に誘導し、その一端部を座布巻軸２５に固定した状態で複数回巻回した構造からなっており、左右の上部水平枠部１２、１４間に、座布２０の長さに対応する高さの座を形成している。
【００１６】
この形態では、上部水平枠部１２、１４間の座の高さは、ロックピン２７のロックピン穴２８からの抜去（脱去）状態で、ハンドル２６を介した座布巻軸２５の回転による座布２０の巻取りまたは巻出しによって、多数段に調整することができる。
【００１７】
図４は、ピンロック手段の変形例を示したもので、座布巻軸２５の後端部の垂直枠部１１から突出する端部に直径方向にのびるロックピン穴３１を設ける一方、垂直枠部１１に、座布巻軸２５の突出端部に隣接するロックピンブラケット３２を固定し、このロックピンブラケット３２に、座布巻軸２５のロックピン穴３１に挿脱可能なねじ式ロックピン３０を取り付けた構造からなっており、ロックピン３０のロックピン穴３１に対する挿脱を介して、座布巻軸２５の回転の制止とその解除を行うものである。
【００１８】
この発明に係る布座椅子は、このほか、ピンロック手段のロックピン穴をねじ穴形としたり、ロックピンを非ねじ（無ねじ）式とするなど、種々の形態で実施することができるもので、上記の形態に限定されるものではない。
【図面の簡単な説明】
【００１９】
【図１】この発明に係る布座椅子の第一の実施形態の斜視図である。
【図２】第一の実施形態におけるバー掛止めブラケットの変形例を示す一部の拡大斜視図である。
【図３】この発明に係る布座椅子の第二の実施形態の斜視図である。
【図４】第二の実施形態におけるピンロック手段の変形例を示す一部の拡大側面図である。
【符号の説明】
【００２０】
１０  脚枠
１１  垂直枠部
１２  上部水平枠部
１３  脚枠
１４  上部水平枠部
１５  座布反転ガイドバー
１６  バー掛止めブラケット
１７  掛止め溝
１８  バー掛止めブラケット
１９  掛止め溝
２０  座布
２１  掛止めバー
２５  座布巻軸
２６  ハンドル
２７  ロックピン
２８  ロックピン穴
３０  ロックピン
３１  ロックピン穴
３２  ロックピンブラケット
【図１】
2006304907.tif 000003
【図２】
2006304907.tif 000004
【図３】
2006304907.tif 000005
【図４】
2006304907.tif 000006